(57)【特許請求の範囲】
【請求項１】
内部がポンプ室となっており、該ポンプ室内に流体を吸入するための吸入口及び該ポンプ室内から流体を吐出するための吐出口を有したケーシングと、
該ポンプ室内に並列に配置され、互いに噛合した１対の歯車と
を備えており、
該ポンプ室内で該歯車が回転することにより、流体が該吸入口から該ポンプ室内に吸入されると共に、該ポンプ室内の流体が該吐出口から吐出されるように構成されたポンプであって、
該吸入口及び吐出口のうち、少なくともそれらの軸心線方向の途中部から該ポンプ室側の部分は、それぞれ、該ポンプ室側ほど大径となる拡径部となっているポンプにおいて、
該ケーシングは、少なくとも、該拡径部の周方向の一部を構成する第１のケーシング体と、該拡径部の周方向の他部を構成する第２のケーシング体とを備え、該第１のケーシング体と該第２のケーシング体とが接合されており、
第１のケーシング体の該拡径部の周方向の一部を構成する部分は、第２のケーシング体側へ突出しており、
該第１のケーシング体と第２のケーシング体との重なり面の周縁部に全周にわたってパッキンが配設されており、
該パッキンよりも内周側に前記拡径部が配置されていることを特徴とするポンプ。
【請求項２】
請求項１において、
前記吸入口及び吐出口の軸心線に沿う断面内において、該吸入口及び吐出口の前記拡径部の内周面は、それぞれ、該吸入口及び吐出口の内方に凸に湾曲した形状となっていることを特徴とするポンプ。
【請求項３】
請求項１又は２において、
前記第１のケーシング体（２１）は、ポンプ室（２）の前側の壁を構成する前側壁構成部（２１ａ）と、吸入口（３）の前記拡径部（３ａ）の周方向の一部を構成する吸入口用拡径部前半側構成部（２１ｂ）と、吐出口（４）の前記拡径部（４ａ）の周方向の一部を構成する吐出口用拡径部前半側構成部（２１ｃ）とを有しており、
該吸入口用拡径部前半側構成部（２１ｂ）及び吐出口用拡径部前半側構成部（２１ｃ）は該前側壁構成部（２１ａ）からポンプ室（２）側に立設されており、
前記第２のケーシング体（２２）は、ポンプ室（２）の後側の壁を構成する後側壁構成部（２２ａ）と、ポンプ室（２）を取り囲む周壁を構成する周壁構成部（２２ｂ）とを有しており、
前記吸入口（３）及び吐出口（４）は、該周壁構成部（２２ｂ）を貫通しており、
該周壁構成部（２２ｂ）の前端面と該第１のケーシング体（２１）の前側壁構成部（２１ａ）の周縁部とが重なった状態で第１のケーシング体（２１）と第２のケーシング体（２２）とが接合されており、
該吸入口用拡径部前半側構成部（２１ｂ）は、該周壁構成部（２２ｂ）の内周側に設けられた凹所（２２ｆ）に係合しており、
該吐出口用拡径部前半側構成部（２１ｃ）は、該周壁構成部（２２ｂ）の内周側に設けられた凹所（２２ｇ）に係合していることを特徴とするポンプ。
【請求項４】
便器に設置され、便器使用者の臀部を洗浄するための洗浄装置であって、
便器使用者の臀部に洗浄水を噴射するための洗浄ノズルと、
該洗浄ノズルに洗浄水を供給するためのポンプと
を備えた洗浄装置において、
該ポンプは、請求項１ないし３のいずれか１項に記載のポンプであることを特徴とする洗浄装置。
【発明の詳細な説明】
【技術分野】
【０００１】
本発明は、互いに噛合した１対の歯車の回転により流体を圧送するように構成されたポンプに係り、特に、該歯車を収容したポンプ室に流体を吸入するための吸入口及び該ポンプ室内から流体を吐出するための吐出口が、それぞれ、該ポンプ室側ほど大径となっているポンプに関する。また、本発明は、このポンプを備えた、便器使用者の臀部に洗浄ノズルから洗浄水を噴射して洗浄するための洗浄装置に関する。
【背景技術】
【０００２】
便器に設置され、便器使用者の臀部に洗浄ノズルから洗浄水を噴射して洗浄するための洗浄装置は周知である。この洗浄ノズルに洗浄水を供給するためのポンプとして、互いに噛合した１対の歯車の回転により洗浄水を圧送するように構成された、いわゆるギヤポンプが広く用いられている。
【０００３】
このギヤポンプは、内部がポンプ室となっており、該ポンプ室内に洗浄水を吸入するための吸入口及び該ポンプ室内から洗浄水を吐出するための吐出口を有したケーシングと、該ポンプ室内に並列に配置され、互いに噛合した１対の歯車とを備えており、該ポンプ室内で該歯車が回転することにより、洗浄水が該吸入口から該ポンプ室内に吸入されると共に、該ポンプ室内の洗浄水が該吐出口から吐出されるように構成されている。
【０００４】
特許文献１には、吸入口及び吐出口のポンプ室側に、それぞれ、該ポンプ室側ほど大径となる拡径部を設けることが記載されている。吸入口がポンプ室側ほど大径となっていると、洗浄水が吸入口からポンプ室内に流入する際に、洗浄水が吸入口の内周面に沿って広がるように流れるため、各歯車によって洗浄水がポンプ室内をスムーズに吐出口側へ移送されるようになる。また、吐出口がポンプ室側ほど大径となっていることにより、各歯車によってポンプ室内を吐出口側へ移送されてきた洗浄水がスムーズに吐出口に流入することができる。これにより、ポンプ内における洗浄水の流通抵抗が低減され、効率よく洗浄水を洗浄ノズルに圧送することができる。
【先行技術文献】
【特許文献】
【０００５】
【特許文献１】実開昭５８−１４２３８７
【発明の概要】
【発明が解決しようとする課題】
【０００６】
上記特許文献１のポンプにあっては、ケーシングを金型を用いて成形する場合、吸入口及び吐出口の拡径部がアンダーカット形状となるため、これらの拡径部を形成するために、他の部分を形成するための金型部分と別体の中子を金型内に設置する必要がある。そのため、ケーシングを成形するための金型コストが増大すると共に、ケーシングの成形工程が煩雑なものとなる。
【０００７】
本発明は、ケーシングを成形するための金型コストの低減及びケーシングの成形工程の容易化を図ることができるポンプと、このポンプを備えた洗浄装置とを提供することを目的とする。
【課題を解決するための手段】
【０００８】
本発明（請求項１）のポンプは、内部がポンプ室となっており、該ポンプ室内に流体を吸入するための吸入口及び該ポンプ室内から流体を吐出するための吐出口を有したケーシングと、該ポンプ室内に並列に配置され、互いに噛合した１対の歯車とを備えており、該ポンプ室内で該歯車が回転することにより、流体が該吸入口から該ポンプ室内に吸入されると共に、該ポンプ室内の流体が該吐出口から吐出されるように構成されたポンプであって、該吸入口及び吐出口のうち、少なくともそれらの軸心線方向の途中部から該ポンプ室側の部分は、それぞれ、該ポンプ室側ほど大径となる拡径部となっているポンプにおいて、該ケーシングは、少なくとも、該拡径部の周方向の一部を構成する第１のケーシング体と、該拡径部の周方向の他部を構成する第２のケーシング体とを備え、該第１のケーシング体と該第２のケーシング体とが接合されており、第１のケーシング体の該拡径部の周方向の一部を構成する部分は、第２のケーシング体側へ突出しており、該第１のケーシング体と第２のケーシング体との重なり面の周縁部に全周にわたってパッキンが配設されており、該パッキンよりも内周側に前記拡径部が配置されていることを特徴とするものである。
【０００９】
請求項２のポンプは、請求項１において、前記吸入口及び吐出口の軸心線に沿う断面内において、該吸入口及び吐出口の前記拡径部の内周面は、それぞれ、該吸入口及び吐出口の内方に凸に湾曲した形状となっていることを特徴とするものである。
【００１０】
本発明の洗浄装置は、便器に設置され、便器使用者の臀部を洗浄するための洗浄装置であって、便器使用者の臀部に洗浄水を噴射するための洗浄ノズルと、該洗浄ノズルに洗浄水を供給するためのポンプとを備えた洗浄装置において、該ポンプは、本発明のポンプであることを特徴とするものである。
【発明の効果】
【００１１】
本発明（請求項１）のポンプにあっては、吸入口及び吐出口のうち、少なくともそれらの軸心線方向の途中部からポンプ室側の部分は、それぞれ、該ポンプ室側ほど大径となる拡径部となっているが、ケーシングは、少なくとも、各拡径部の周方向の一部を構成する第１のケーシング体と、各拡径部の周方向の他部を構成する第２のケーシング体とを接合してなる。そのため、これらのケーシング体を金型を用いて成形する際に、該金型内において各拡径部がアンダーカット形状とならない。これにより、各拡径部を形成するために、該拡径部以外の部分を形成するための金型部分と別体の中子を金型内に設置することが不要であるため、ケーシングを成形するための金型コストの低減及びケーシングの成形工程の容易化を図ることができる。
【００１２】
なお、請求項１の「該ケーシングは、少なくとも、該拡径部の周方向の一部を構成する第１のケーシング体と、該拡径部の周方向の他部を構成する第２のケーシング体とを接合してなる」との記載は、拡径部が２個のケーシング体により構成されることだけでなく、３個以上のケーシング体により構成されてもよいことも示している。具体的には、例えば拡径部を３個のケーシング体により構成する場合、ケーシングは、少なくとも、拡径部の周方向の一部を構成する第１のケーシング体と、該拡径部の周方向の他の一部を構成する第２のケーシング体と、該拡径部の周方向の残部を構成する第３のケーシング体とを備えたものとされ、これらのケーシング体を接合することにより、３個に分割されていた拡径部の各部が合体して拡径部が完成する。もちろん、拡径部は、４個以上のケーシング体により構成されてもよい。拡径部は、周方向に等間隔に分割されてもよく、不等間隔に分割されてもよい。ケーシングは、拡径部を構成しないケーシング体を含んでいてもよい。
【００１３】
本発明のポンプにあっては、吸入口がポンプ室側ほど大径となっていることにより、流体が吸入口からポンプ室内に流入する際に、流体が吸入口の内周面に沿って広がるように流れるため、各歯車によって洗浄水がポンプ室内をスムーズに吐出口側へ移送されるようになる。また、吐出口がポンプ室側ほど大径となっていることにより、各歯車によってポンプ室内を吐出口側へ移送されてきた流体がスムーズに吐出口に流入することができる。これにより、ポンプ内における流体の流通抵抗が低減され、効率よく流体を圧送することができる。
【００１４】
請求項２の通り、吸入口及び吐出口の軸心線に沿う断面内において、該吸入口及び吐出口の拡径部の内周面を、それぞれ、該吸入口及び吐出口の内方に凸に湾曲した形状とすることにより、ポンプ内における流体の流通抵抗をより効果的に低減することができる。
【００１５】
本発明（請求項３）の洗浄装置は、かかる本発明のポンプを備えているので、低コストにて効率よく洗浄ノズルに洗浄水を供給することが可能な洗浄装置を提供することが可能となる。
【図面の簡単な説明】
【００１６】
【図１】実施の形態に係るポンプの縦断面図である。
【図２】図１のII−II線に沿う断面図である。
【図３】図１のIII−III線に沿う断面図である。
【図４】図１のポンプの分解断面図である。
【図５】図１のポンプの分解断面図である。
【図６】図１のポンプの第１のケーシング体の斜視図である。
【図７】図１のポンプの第２のケーシング体の斜視図である。
【発明を実施するための形態】
【００１７】
以下、図面を参照して実施の形態について説明する。なお、以下の説明では、便宜上、上下方向及び左右方向とは、それぞれ、第１図における上下方向及び左右方向をいい、前方とは、第１図における紙面手前側（表側）をいい、後方とは、第１図における紙面奥側（裏側）をいう。なお、当然ながら、現実にポンプを使用する際のポンプの向きは、第１図における上下方向、左右方向及び前後方向に限定されない。
【００１８】
第１図は実施の形態に係るポンプの縦断面図（図２のI−I線に沿う断面図）であり、第２図及び第３図はそれぞれ第１図のII−II線及びIII−III線に沿う断面図である。第４図及び第５図はこのポンプの分解断面図であり、それぞれ第２図及び第３図と同様部分の断面を示している。第６図は、このポンプのケーシングを構成する第１のケーシング体を後方から見た斜視図であり、第７図は、このポンプのケーシングを構成する第２のケーシング体を前方から斜視図である。なお、第２〜５図においては、このポンプの構成部品のうち歯車と、該歯車の回転軸との図示が省略されている。
【００１９】
この実施の形態では、ポンプ１は、便器（図示略）に設置され、便器使用者の臀部を洗浄するための洗浄装置の洗浄ノズル（図示略）に洗浄水タンク（図示略）から温水等の洗浄水（請求項１における流体に相当する。）を供給するためのものである。なお、ポンプ１の用途はこれに限定されない。
【００２０】
ポンプ１は、内部がポンプ室２となっており、該ポンプ室２内に洗浄水を吸入するための吸入口３及び該ポンプ室２内から洗浄水を吐出するための吐出口４を有したケーシング２０と、該ポンプ室２内に並列に配置され、互いに噛合した１対の歯車５，６等を備えている。この実施の形態では、第１図の通り、ケーシング２０の上面の左右方向の中央付近に吸入口３が設けられ、ケーシング２０の下面の左右方向の中央付近に吐出口４が設けられている。この実施の形態では、吸入口３及び吐出口４は、それぞれ略円筒形状となっており、吸入口３はケーシング２０の上面から上方へ突出し、吐出口４はケーシング２０の下面から下方へ突出している。これらの吸入口３と吐出口４とは、互いに同軸状に配置されている。なお、吸入口３及び吐出口４の形状や配置はこれに限定されない。この吸入口３に配管（図示略）等を介して洗浄水タンクが接続され、吐出口４に配管（図示略）等を介して洗浄ノズルが接続される。
【００２１】
歯車５，６は、それぞれ、ポンプ室２内において、回転軸７，８により回転可能に支持されている。回転軸７，８は、それぞれ軸心線方向を前後方向とし、且つ左右方向に互いに間隔をおいて配設されている。左右の回転軸７，８同士の軸心間距離は、実質的に各歯車５，６の基準円半径を合計した距離となっている。各回転軸７，８の前端側及び後端側は、それぞれ、ポンプ室２内の前側及び後側の壁面にそれぞれ設けられた回転軸保持孔９ａ，９ｂ及び１０ａ，１０ｂ（第２図）に回転可能に保持されている。歯車５，６は、第１図の通り、ポンプ室２内において、これらの回転軸７，８に支持されて左右方向に並列に配置され、該ポンプ室２内の左右方向の中央付近において互いに噛合している。
【００２２】
第１図の通り、ポンプ室２の上下左右を取り囲む周壁（後述の第２のケーシング体２２の周壁構成部２２ｂ）のうち、左側の歯車５の略左半周を取り囲んでいる部分の内周面、及び、右側の歯車５の略右半周を取り囲んでいる部分の内周面は、それぞれ、実質的に各歯車５，６の歯先円に沿う略半円筒状の湾曲面となっている。
【００２３】
この実施の形態では、第２図の通り、ポンプ室２の前側の壁の一方の回転軸保持孔９ｂは、ケーシング２０（後述の第１のケーシング体２１の前側壁構成部２１ａ）を貫通した貫通孔となっており、この回転軸保持孔９ｂに保持された一方の回転軸８の前端側は、この回転軸保持孔９ｂを通ってケーシング２０の外部に延出している。この回転軸８の前端側にモータ等の駆動手段（図示略）が接続されている。
【００２４】
ポンプ１の作動時には、この駆動手段からの駆動力により回転軸８を介して歯車６が第１図の矢印Ｒ１方向（第１図における時計方向）に回転駆動され、これに従動するようにして歯車５が第１図の矢印Ｒ２方向（第１図における反時計方向）に回転する。この歯車５，６の回転に伴い、ポンプ室２内のうち該歯車５，６同士の噛合部よりも吸入口３側の空間２ａ（第１図）内の洗浄水は、各歯車５，６の歯によって該空間２ａ内から左右に掻き出され、ポンプ室２の周壁の内周面に沿って該歯車５，６同士の噛合部よりも吐出口４側の空間２ｂ（第１図）へ移送される。これが繰り返されることにより、順次、吸入口３からポンプ室２（空間２ａ）内に洗浄水が吸入されると共に、吐出口４からポンプ室２（空間２ｂ）外ヘ洗浄水が吐出される。
【００２５】
この実施の形態では、第１，３図の通り、吸入口３及び吐出口４のうちそれらの軸心線方向の途中部からポンプ室２側の部分は、それぞれ、該ポンプ室２側ほど大径となる拡径部３ａ，４ａとなっている。吸入口３及び吐出口４のうち、この拡径部３ａ，４ａよりもポンプ外方側（ポンプ室２と反対側）の部分は、内径が略一定となっている。なお、吸入口３及び吐出口４は、それぞれ、全体として、ポンプ室２側ほど大径となる形状となっていてもよい。
【００２６】
このように吸入口３がポンプ室２側ほど大径となっていることにより、洗浄水が吸入口３からポンプ室２内の空間２ａに流入する際に、洗浄水が吸入口３の内周面に沿って左右に広がるように流れるため、Ｒ１，Ｒ２方向に回転する左右の歯車５，６によって洗浄水がスムーズに空間２ａから掻き出されて空間２ｂへ移送されるようになる。また、吐出口４がポンプ室２側ほど大径となっていることにより、歯車５，６によって空間２ｂへ移送されてきた洗浄水がスムーズに吐出口４に流入することができる。これにより、ポンプ１内における洗浄水の流通抵抗が低減され、効率よく洗浄水を洗浄水タンクから洗浄ノズルに供給することができる。
【００２７】
この実施の形態では、第３図の通り、吸入口３及び吐出口４の軸心線に沿う断面内において、拡径部３ａ，４ａの内周面は、それぞれ、該吸入口３及び吐出口４の内方に凸に湾曲している。拡径部３ａ，４ａの内周面をこのような形状とすることにより、ポンプ１内における洗浄水の流通抵抗をより効果的に低減することができる。なお、拡径部３ａ，４ａの内周面の形状はこれに限定されるものではなく、例えばポンプ室２に向かって一定の角度で拡開した形状であってもよく、段階的に径が大きくなる階段状の形状であってもよい。
【００２８】
この実施の形態では、ケーシング２０は、その前半側を構成する第１のケーシング体２１と、その後半側を構成する第２のケーシング体２２とを接合してなる。
【００２９】
この実施の形態では、第１のケーシング体２１は、ポンプ室２の前側の壁を構成する前側壁構成部２１ａと、吸入口３の拡径部３ａの周方向の前半側（以下、単に前半側ということがある。）を構成する吸入口用拡径部前半側構成部２１ｂと、吐出口４の拡径部４ａの周方向の前半側を構成する吐出口用拡径部前半側構成部２１ｃとを有している。前側壁構成部２１ａの外周側には、第１のケーシング体２１と第２のケーシング体２２とを連結するボルト２３が挿通されるボス部２１ｄが設けられている。また、前側壁構成部２１ａの外周側には、第１のケーシング体２１と第２のケーシング体２２とを接合させたときに、後述の第２のケーシング体２２の位置決め突起２２ｈが係合する凹部２１ｅが設けられている。
【００３０】
この実施の形態では、第４，５図の通り、吸入口用拡径部前半側構成部２１ｂは、ポンプ室２内の上側の壁面のうち、吸入口３の拡径部３ａの前半側の周縁部から該上側の壁面の前縁までの部分を構成するものである。また、吐出口用拡径部前半側構成部２１ｃは、ポンプ室２内の下側の壁面のうち、吐出口４の拡径部４ａの前半側の周縁部から該下側の壁面の前縁までの部分を構成するものである。吸入口用拡径部前半側構成部２１ｂ及び吐出口用拡径部前半側構成部２１ｃの前端側は、それぞれ、前側壁構成部２１ａの後面に連なっている。
【００３１】
吸入口用拡径部前半側構成部２１ｂ及び吐出口用拡径部前半側構成部２１ｃの後端面の一部を半円形に切り欠くようにして吸入口３及び吐出口４の前半側がそれぞれ形成され、これらを取り巻くように、吸入口用拡径部前半側構成部２１ｂの下面及び吐出口用拡径部前半側構成部２１ｃの上面に、それぞれ、拡径部３ａ，４ａの前半側の略半周分が形成されている。この拡径部３ａ，４ａの前半側の周方向の両端は、それぞれ、吸入口用拡径部前半側構成部２１ｂ及び吐出口用拡径部前半側構成部２１ｃの後端面に臨んでいる。
【００３２】
なお、第２〜５図の通り、この実施の形態では、吸入口用拡径部前半側構成部２１ｂ及び吐出口用拡径部前半側構成部２１ｃの上下方向の厚さは、各拡径部３ａ，４ａの上下方向（＝吸入口３及び吐出口４の軸心線方向）の長さと略同等となっているが、これに限定されない。例えば、吸入口用拡径部前半側構成部２１ｂ及び吐出口用拡径部前半側構成部２１ｃの上下方向の厚さを各拡径部３ａ，４ａの上下方向の長さよりも大きくし、吸入口３及び吐出口４のうち該拡径部３ａ，４ａよりもポンプ外方側の部分も、少なくとも部分的に、該吸入口用拡径部前半側構成部２１ｂ及び吐出口用拡径部前半側構成部２１ｃによって構成するようにしてもよい。
【００３３】
第２のケーシング体２２は、ポンプ室２の後側の壁を構成する後側壁構成部２２ａと、ポンプ室２の上下左右を取り囲む周壁を構成する周壁構成部２２ｂとを有している。この周壁構成部２２ｂの外周側の上面及び下面に、それぞれ、略円筒形状の吸入口３及び吐出口４の基端が連なっており、吸入口３及び吐出口４は、この周壁構成部２２ｂを貫通してポンプ室２内に連通している。
【００３４】
第１のケーシング体２１と第２のケーシング体２２とを接合させたときには、周壁構成部２２ｂの前端面が全周にわたって前側壁構成部２１ａの後面の周縁部に重なる。周壁構成部２２ｂの前端面には、全周にわたってパッキン収容溝２２ｃが周設されており、このパッキン収容溝２２ｃに沿って、該周壁構成部２２ｂと前側壁構成部２１ａとの接合面をシールするパッキン２２ｄが配設されている。周壁構成部２２ｂの外周側には、該前側壁構成部２１ａのボス部２１ｄと重なるように、前記ボルト２３が挿通されるボス部２２ｅが設けられている。また、周壁構成部２２ｂの外周側には、第１のケーシング体２１の凹部２１ｅに係合する位置決め突起２２ｈが設けられている。
【００３５】
周壁構成部２２ｂの内周側の上面及び下面には、それぞれ、吸入口用拡径部前半側構成部２１ｂ及び吐出口用拡径部前半側構成部２１ｃが係合する凹所２２ｆ，２２ｇが設けられている。凹所２２ｆ，２２ｇの上下方向の深さは、それぞれ、吸入口用拡径部前半側構成部２１ｂ及び吐出口用拡径部前半側構成部２１ｃの上下方向の厚さと略同等となっている。
【００３６】
凹所２２ｆ，２２ｇの前端側は、それぞれ、周壁構成部２２ｂの前端面に臨んでいる。第４，５図の通り、凹所２２ｆ，２２ｇの後端は、それぞれ、周壁構成部２２ｂの前端面から吸入口３及び吐出口４の軸心線と略等距離に位置している。これにより、吸入口３及び吐出口４は、それぞれ、周方向の前半側が凹所２２ｆ，２２ｇの底面に露呈し、周方向の後半側（以下、単に後半側ということがある。）は、凹所２２ｆ，２２ｇの後端側の段差面を半円形に切り欠くようにして、周壁構成部２２ｂの内周側の上面及び下面のうち、凹所２２ｆ，２２ｇよりも該上面及び下面の後縁側の部分に露呈している。
【００３７】
各凹所２２ｆ，２２ｇの底面に露呈しているのは、吸入口３及び吐出口４のうち、拡径部３ａ，４ａよりもポンプ外方側の部分である。即ち、周壁構成部２２ｂの内周面には、拡径部３ａ，４ａの前半側は存在しない。
【００３８】
周壁構成部２２ｂの内周側の上面及び下面のうち、凹所２２ｆ，２２ｇよりも該上面及び下面の後縁側の部分には、それぞれ、吸入口３及び吐出口４の後半側を取り巻くように、拡径部３ａ，４ａの後半側の略半周分が形成されている。この拡径部３ａ，４ａの後半側の周方向の両端は、それぞれ、凹所２２ｆ，２２ｇの後端側の段差面に臨んでいる。
【００３９】
第１のケーシング体２１及び第２のケーシング体２２は、それぞれ、成形用金型（図示略）内に、溶融した合成樹脂や金属等の成形材料を供給して成形したものである。
【００４０】
ポンプ１を組み立てる場合、第２のケーシング体２２の周壁構成部２２ｂの内側に歯車５，６及び回転軸７，８を配置し、その前面側に第１のケーシング体２１の前側壁構成部２１ａを被せる。この際、吸入口用拡径部前半側構成部２１ｂ及び吐出口用拡径部前半側構成部２１ｃをそれぞれ周壁構成部２２ｂの内側に入り込ませ、各凹所２２ｆ，２２ｇに係合させる。これにより、第２，３図の通り、吸入口用拡径部前半側構成部２１ｂ及び吐出口用拡径部前半側構成部２１ｃに形成された拡径部３ａ，４ａの前半側部分と、周壁構成部２２ｂの内周側の上面及び下面に形成された拡径部３ａ，４ａの後半側部分とがそれぞれ合体し、拡径部３ａ，４ａは、それぞれ、吸入口３及び吐出口４を周回したものとなる。
【００４１】
このポンプ１にあっては、吸入口３及び吐出口４のうち、それらの軸心線方向の途中部からポンプ室２側の部分は、それぞれ、該ポンプ室２側ほど大径となる拡径部３ａ，４ａとなっているが、ケーシング２０は、拡径部３ａ，４ａの前半側を構成する第１のケーシング体２１と、拡径部３ａ，４ａの後半側を構成する第２のケーシング体２２とを接合してなる。そのため、各ケーシング体２１，２２を金型を用いて成形する際に、該金型内において拡径部３ａ，４ａがアンダーカット形状とならない。これにより、拡径部３ａ，４ａを形成するために、該拡径部３ａ，４ａ以外の部分を形成するための金型部分と別体の中子を金型内に設置することが不要であるため、ケーシング２０を成形するための金型コストの低減及びケーシング２０の成形工程の容易化を図ることができる。
【００４２】
上記の実施の形態は本発明の一例であり、本発明は図示以外の構成とされてもよい。
【００４３】
例えば、上記の実施の形態では、ケーシング２０は、その前半側を構成する第１のケーシング体２１と、その後半側を構成する第２のケーシング体２２とを接合してなるものであるが、ケーシング２０の構成はこれに限定されない。例えば、ケーシング２０は、その左半側を構成する第１のケーシング体と、その右半側を構成する第２のケーシング体とを接合してなるものであってもよい。その場合、吸入口３及び吐出口４の拡径部３ａ，４ａは、それぞれ、その周方向の左半側が第１のケーシング体に設けられ、右半側が第２のケーシング体に設けられる。
【００４４】
ケーシング２０は、３個以上のケーシング体を接合してなるものであってもよい。その場合、拡径部３ａ，４ａを３個以上に分割し、この分割した各部を、互いに接合される別々のケーシング体により構成するようにしてもよい。なお、吸入口３の拡径部３ａを構成するケーシング体の組み合わせと、吐出口４の拡径部４ａを構成するケーシング体の組み合わせとが異なっていてもよい。
【符号の説明】
【００４５】
１  ポンプ
２  ポンプ室
３  吸入口
３ａ  拡径部
４  吐出口
４ａ  拡径部
５，６  歯車
７，８  回転軸
２０  ケーシング
２１  第１のケーシング体
２１ａ  前側壁構成部
２１ｂ  吸入口用拡径部前半側構成部
２１ｃ  吐出口用拡径部前半側構成部
２２  第２のケーシング体
２２ａ  後側壁構成部
２２ｂ  周壁構成部
【図１】
0005909966.tif 000002
【図２】
0005909966.tif 000003
【図３】
0005909966.tif 000004
【図４】
0005909966.tif 000005
【図５】
0005909966.tif 000006
【図６】
0005909966.tif 000007
【図７】
0005909966.tif 000008